(57)【要約】【課題】実装が簡単で、判定が容易で、そして耐用寿命が長いヒューズである溶断指示付きの智慧型挿入式ヒューズを提供する。【解決手段】本体ベースにある長い槽状の収納室に金属ヒューズが挿設され、本体ベースの係止部上に発光表示ユニットがモザイクされる。発光表示ユニットは、２組の分圧半導体チップ抵抗とＬＥＤ発光ダイオードを直列してから、また、逆方向に並列することにより、無極性の発光表示ユニットが形成される。無極性発光表示ユニットをヒューズの絶縁枠内に収納し、その左右の電極が、ヒューズの両エンドピースに緊密に接触し、また、金属ヒューズの上端に固定するための上蓋が設けられ、或いは、ヒューズのエンドピースから延伸するアーム部が、発光表示ユニットに緊密に接触することにより、溶断指示付きの智慧型ヒューズが形成される【選択図】図１
0003125233.tif 000002
【実用新案登録請求の範囲】
【請求項１】
本体ベースは、中央が両端よりやや広い長い槽状である収納室があり、底部に、長い槽状である収納室を隔離するためのスペーサーが形成され、両側において、長い槽状である収納室により隔離された保護板の上端の中央の近くに二つの四角形突出が形成され、また、本体ベースの他の両側に、Ｙ文字形突出が形成され、当該長い槽状である収納室に金属ヒューズが挿設され、その中間欠け口部により金属ヒューズが二つの部分に区分されるが、溶断金属絲により金属ヒューズの二つの部分が連結され、また、金属ヒューズの両側の本体に、対応するように、スペーサーの両側に係止されて固定されるほぞが形成され、金属ヒューズは、二つの部分の上端に斜め係止部が形成され、また、当該斜め係止部の底部に左右の突出係止部が形成され、当該左右の突出係止部の上に、それぞれ、斜錐体が形成され、金属ヒューズの二つの部分の上端に、複数の斜面が形成され、また、本体上に、貫通穴が形成され、また、その下端の外側に、斜辺が形成され、当該金属ヒューズの係止部の上に、やや長方体である無極性発光表示ユニットがモザイクされ、また、当該無極性発光表示ユニットは、２組の分圧半導体チップ抵抗が、それぞれ、ＬＥＤ発光ダイオードに直列されてから、また、逆方向に並列されることにより形成され、当該無極性発光表示ユニットの左右の両電極が、金属ヒューズの左右の突出係止部に連結され、溶断金属絲と並列になり、当該無極性発光表示ユニットが係止部にモザイクされ、遮断する時、発光することにより、金属ヒューズが溶断したことを指示し、当該金属ヒューズの上端に上蓋が嵌設され、その上に、上に、対称するように、金属ヒューズの上端が嵌設するための槽孔が形成される二つの凹槽が形成され、上蓋の下端において、中央に、二つの四角形突出に係止されて固定されるための長方形凹槽が形成され、当該長方形凹槽の槽縁の中央に、二つの突出ほぞが形成され、また、当該二つの突出ほぞに、少なくとも、斜め係止部と係止部の上端の平面等に合わせる三つの切り面が形成されて、上蓋が緊密に固定されることができ、これにより、溶断金属絲が溶断されると、当該無極性発光表示ユニットが点灯する、
ことを特徴とする溶断指示付きの智慧型挿入式ヒューズ。
【請求項２】
当該本体ベースと上蓋とが一体成型である本体があり、底部から、予めに透明の弾性体を中空である収納室の中央部位に収納し、当該透明の弾性体が、例えば、シリカゲルやゴムである耐熱の透明プラスチックから作製され、球体や長方体、中空管体、円柱体或いは正方体であり、また、無極性発光表示ユニットを、底部から、中空である収納室の中央部位に位置付け、そして、金属ヒューズが、一体成型である本体に貫設されると、本体の長い槽状である収納室の両側面に貫設固定されて、ヒューズとして利用でき、また、中空である収納室内の弾性体により付勢して、当該無極性発光表示ユニットの左右の両電極と金属ヒューズの左右の突出係止部とが緊密に接触し、これにより、溶断金属絲に並列され、また、当該弾性体が、直接に塗布することや粘着することにより無極性発光表示ユニットの上に設けられることを特徴とする請求項１に記載の溶断指示付きの智慧型挿入式ヒューズ。
【請求項３】
当該溶断指示ヒューズは、底部カバーと上部カバーとからなる２枚式の蓋本体があり、当該底部カバーに、左右の突出柱と収納室と係止槽が設けられ、また、上部カバーに、係止するための複数のフックが設けられ、左右の突出柱の上に、ばねがモザイクされ、ばねとばねとの間に、収納室に収納される無極性発光表示ユニットが、連結され、左右のばねにより、金属ヒューズに付勢され、金属ヒューズが、左右の貫通穴により、左右の突出柱上に固定され、左右のばねと連通し、当該左右のばねの抵当部が、底部カバーの一端に係止され、これにより、ばね機能が実現され、また、底部カバー上に上部カバーが嵌合され、フックが係止槽にフックすることにより、当該左右の突出柱が、上部カバーに対称するように貫設される二つの貫通穴に固定されることにより、２枚式の溶断指示付きのヒューズが形成されることを特徴とする請求項１に記載の溶断指示付きの智慧型挿入式ヒューズ。
【請求項４】
当該無極性発光表示ユニットが、２組の分圧半導体チップ抵抗とＬＥＤ発光ダイオードを直列してから、また、逆方向に並列することにより、形成され、ヒューズが異なる公称電圧（１２Ｖ〜７２Ｖ）に利用できるように、任意に分圧抵抗の抵抗値を変更でき、二つのＬＥＤ発光ダイオードのＡ端電極が外部正極回路に連結されて、Ｂ端電極が外部の負極回路に連結され、発光が、回路の接続状況に基づいて、当該ヒューズが溶断すると、上端のＬＥＤ発光ダイオードが発光し、接続が逆である時、下端のＬＥＤ発光ダイオードが発光することを特徴とする請求項１に記載の溶断指示付きの智慧型挿入式ヒューズ。
【考案の詳細な説明】
【技術分野】
【０００１】
本考案は、溶断指示付きの智慧型挿入式ヒューズに関し、特に、低温安全と実装簡単で、テストを必要しなく、交換が容易で、耐用寿命が長いヒューズに関する。
【背景技術】
【０００２】
従来の溶断指示型ヒューズは、ヒューズの二つの金属電極の間において、当該ヒューズに小型電球を並列し、当該電球がその抵抗がヒューズより高い高抵抗で、普通、電流が、電球を介せずヒューズを介して流れるため、点灯しなく、ヒューズが過負荷により溶断されると、電球が、電流が流れることにより、点灯して、ヒューズが溶断されたことを指示する。しかしながら、当該電球が点灯する時、高い熱エネルギーが生成することにより、ヒューズの絶縁プラスチック本体が液化するから、安全の問題がある。また、道の情況による震動等により、溶断される恐れもあるため、一々検査して問題を発見してから、メンテナンスに時間が掛かり、元の機能が失ってしまう。また、当該小型電球は、一般、約１２ボルトの低電圧であり、しかし、新しい仕様の自動車やバイクに、様々の電子設備が実装されるため、場合によって回路に４８ボルトのものが使用され、そのため、従来の溶断指示型ヒューズが、新しい車種に適用できず、また、従来の溶断指示型ヒューズの上蓋に、電球を収納するための突出部が形成され、余計に実装空間が取られ、ある車種によれば、収納できないため使用できず、そのため、実用的なものとは言えない。
【考案の開示】
【考案が解決しようとする課題】
【０００３】
本考案の目的は、低温安全と実装簡単で、テストを必要せず、交換が容易で、耐用寿命が長い溶断指示付きの智慧型挿入式ヒューズを提供する。
【課題を解決するための手段】
【０００４】
請求項１の考案は、本体ベースに、中央が両端よりやや広い長い槽状である収納室があり、本体ベースの底部に、長い槽状である収納室を隔離するためのスペーサーが形成され、本体ベースの両側において、長い槽状である収納室により隔離された保護板の上端の中央の近くに二つの四角形突出が形成され、また、本体ベースの他の両側に、Ｙ文字形突出が形成され、当該長い槽状である収納室に金属ヒューズが挿設され、その中間欠け口部により金属ヒューズが二つの部分に区分されるが、溶断金属絲により金属ヒューズの二つの部分が連結され、また、金属ヒューズの両側の本体に、対応するように、スペーサーの両側に係止されて固定されるホゾが形成され、金属ヒューズは、二つの部分の上端に斜め係止部が形成され、また、当該斜め係止部の底部に左右の突出係止部が形成され、当該左右の突出係止部の上に、それぞれ、斜錐体が形成され、金属ヒューズの二つの部分の上端に、複数の斜面が形成され、また、本体上に、貫通穴が形成され、また、その下端の外側に、斜辺が形成され、当該金属ヒューズの係止部の上に、やや長方体である無極性発光表示ユニットがモザイクされ、また、当該無極性発光表示ユニットが、２組の分圧半導体チップ抵抗がそれぞれＬＥＤ発光ダイオードに直列されてから、また、逆方向に並列されることにより形成され、当該無極性発光表示ユニットの左右の両電極が、金属ヒューズの左右の突出係止部に連結され、溶断金属絲と並列になり、当該無極性発光表示ユニットが係止部にモザイクされ、遮断する時、発光することにより、金属ヒューズが溶断したことを指示し、当該金属ヒューズの上端に上蓋が嵌設され、その上に、上に、対称するように、金属ヒューズの上端が嵌設するための槽孔が形成される二つの凹槽が形成され、上蓋の下端において、中央に、二つの四角形突出に係止されて固定されるための長方形凹槽が形成され、当該長方形凹槽の槽縁の中央に、二つの突出ほぞが形成され、また、当該二つの突出ホゾに、少なくとも、斜め係止部と係止部の上端の平面等に合わせる三つの切り面が形成されて、上蓋が緊密に固定されることができ、これにより、溶断金属絲が溶断されると、当該無極性発光表示ユニットが点灯することを特徴とする溶断指示付きの智慧型挿入式ヒューズである。
【０００５】
請求項２の考案は、当該本体ベースと上蓋とが一体成型である本体があり、底部から、予めに透明の弾性体を中空である収納室の中央部位に収納し、当該透明の弾性体が、例えば、シリカゲルやゴムである耐熱の透明プラスチックから作製され、球体や長方体、中空管体、円柱体或いは正方体であり、また、無極性発光表示ユニットを、底部から、中空である収納室の中央部位に位置付け、そして、金属ヒューズが、一体成型である本体に貫設されると、本体の長い槽状である収納室の両側面に貫設固定されて、ヒューズとして利用でき、また、中空である収納室内の弾性体により付勢して、当該無極性発光表示ユニットの左右の両電極と金属ヒューズの左右の突出係止部とが緊密に接触し、これにより、溶断金属絲に並列され、また、当該弾性体が、直接に塗布することや粘着することにより無極性発光表示ユニットの上に設けられることを特徴とする請求項１に記載の溶断指示付きの智慧型挿入式ヒューズである。
【０００６】
請求項３の考案は、当該溶断指示ヒューズに、底部カバーと上部カバーとからなる２枚式の蓋本体があり、当該底部カバーに、左右の突出柱と収納室と係止槽が設けられ、また、上部カバーに、係止するための複数のフックが設けられ、左右の突出柱の上に、ばねがモザイクされ、ばねとばねとの間に、収納室に収納される無極性発光表示ユニットが、連結され、左右のばねにより、金属ヒューズに付勢され、金属ヒューズが、左右の貫通穴により、左右の突出柱上に固定され、左右のばねと連通し、当該左右のばねの抵当部が、底部カバーの一端に係止され、これにより、ばね機能が実現され、また、底部カバー上に上部カバーが嵌合され、フックが係止槽にフックすることにより、当該左右の突出柱が、上部カバーに対称するように貫設される二つの貫通穴に固定されることにより、２枚式の溶断指示付きのヒューズが形成されることを特徴とする請求項１に記載の溶断指示付きの智慧型挿入式ヒューズである。
【０００７】
請求項４の考案は、当該無極性発光表示ユニットが、２組の分圧半導体チップ抵抗とＬＥＤ発光ダイオードを直列してから、また、逆方向に並列することにより、形成され、ヒューズが異なる公称電圧（１２Ｖ〜７２Ｖ）に利用できるように、任意に分圧抵抗の抵抗値を変更でき、二つのＬＥＤ発光ダイオードのＡ端電極が外部正極回路に連結されて、Ｂ端電極が外部の負極回路に連結され、発光が、回路の接続状況に基づいて、当該ヒューズが溶断すると、上端のＬＥＤ発光ダイオードが発光し、接続が逆である時、下端のＬＥＤ発光ダイオードが発光することを特徴とする請求項１に記載の溶断指示付きの智慧型挿入式ヒューズである。
【考案を実施するための最良の形態】
【０００８】
本考案は、図１と２を参照しながら、内部に金属ヒューズ３を収納するための長い槽状である収納室２を有する本体ベース１があり、当該長い槽状である収納室２は、中央が両端よりやや広く、本体ベース１の底部に、長い槽状である収納室２を隔離するスペーサー４があり、本体ベース１の両側において、長い槽状である収納室２により隔離された保護板５、６の上端の中央の近くに二つの四角形突出７、８が形成され、また、本体ベース１の他の両側に、Ｙ文字形突出９、１０が形成され、当該長い槽状である収納室２に金属ヒューズ３が挿設され、その中間欠け口部により金属ヒューズ３が二つの部分に区分されるが、溶断金属絲１１により金属ヒューズ３の二つの部分が連結され、また、金属ヒューズ３の両側の本体に、対応するように、スペーサー４の両側に係止されて固定されたほぞ１２、１３が形成され、金属ヒューズ３の二つの部分の上端に斜め係止部１４、１５が形成され、また、当該斜め係止部１４、１５の底部に左右の突出係止部１６、１７が形成され、当該左右の突出係止部１６、１７の上に、それぞれ、斜錐体１８、１９が形成され、金属ヒューズ３の二つの部分の上端に、鋭角を消去するために、複数の斜面２０、２１が形成され、また、金属ヒューズ３は、二つの部分において、本体上に、貫通穴２２、２３が形成され、また、その下端の外側に、斜辺２４、２５が形成され、当該金属ヒューズ３の係止部１６、１７の上に、やや長方体である無極性発光表示ユニット２６がモザイクされる。当該無極性発光表示ユニット２６は、２組の分圧半導体チップ抵抗５６、５７が、それぞれ、ＬＥＤ発光ダイオード３０、５８に直列されてから、また、逆方向に並列されることにより、形成される（図７と８を参照しながら）。当該無極性発光表示ユニット２６は、左右の両電極Ａ、Ｂが、金属ヒューズ３の左右の突出係止部１６、１７に連結され、これにより、溶断金属絲１１に並列するようになり、金属ヒューズ３の上端に本体ベース１と溶接により一体になるように、上蓋３１が固定され、これにより、溶断指示付きの智慧型挿入式ヒューズ４２が形成される。当該無極性発光表示ユニット２６は、遮断された時、点灯し、金属ヒューズ３が溶断していることを示し、これにより、快速的に溶断したヒューズを見つけて交換でき、当該二つのＬＥＤ発光ダイオード３０、５８は、Ａ端が外部の正極回路２７に連結されて、Ｂ端が外部の負極回路に連結され、発光が、回路の接続状況に基づいて、ヒューズが溶断すると、上端のＬＥＤ発光ダイオード３０が発光し、接続が逆である時、下端のＬＥＤ発光ダイオード５８が発光し、当該金属ヒューズ３の上端に、上部に対照する二つの凹槽３２、３３が形成される上蓋３１が嵌設され、当該凹槽に金属ヒューズ３の上端が貫通するための槽孔３４、３５が形成され、上蓋３１は、下端において、中央に、二つの四角形突出７、８に係止されて固定されるための長方形凹槽３６が形成され、また、当該長方形凹槽３６の槽縁の中央に、二つの突出ホゾ３７、３８が形成され、また、当該二つの突出ほぞ３７、３８に、少なくとも、斜め係止部１４、１５と係止部１６、１７の上端の平面等に合わせる三つの切り面３９、４０、４１が形成されて、当該上蓋３１が緊密に固定されることができ、これにより、溶断指示付きの智慧型挿入式ヒューズ４２が形成される。溶断金属絲１１が溶断されると、当該無極性発光表示ユニット２６が点灯し、低温安全やエネルギーの節約及び長耐用寿命の利点が得られるだけでなく、一目で溶断したヒューズが見つけられ、ユーザーが、快速に交換でき、メンテナンス時間の節約が実現される。
【０００９】
本考案の本体ベース１と上蓋３１は（図３と４を参照しながら）、一体成型である本体４３としてもよく、底部から、予めに透明の弾性体２６Ａを中空である収納室２の中央部位に収納し、当該透明の弾性体２６Ａは、例えば、シリカゲルやゴムである耐熱の透明プラスチックから作製され、球体や長方体、中空管体、円柱体或いる正方体であり、また、無極性発光表示ユニット２６を、底部から、中空である収納室２の中央部位に位置付け、そして、金属ヒューズ３が、一体成型である本体４３に貫設されると、本体４３の長い槽状である収納室２の両側面に貫設固定されて、ヒューズとして利用できる。中空である収納室２内の弾性体２６Ａにより付勢して、当該無極性発光表示ユニット２６の左右の両電極Ａ、Ｂと金属ヒューズ３の左右の突出係止部１６、１７とが緊密に接触し、これにより、溶断金属絲１１に並列される。当該弾性体２６Ａは、直接に塗布することや粘着することにより無極性発光表示ユニット２６の上に設けられても良い。
【００１０】
本考案に係わる溶断指示付きのヒューズ４２（図５と６を参照しながら）は、底部カバー４５と上部カバー４６とからなる蓋本体４４があってもよく、当該底部カバー４５に、左右の突出柱４７と収納室４８と係止槽４９が設けられ、また、上部カバー４６に、係止するための複数のフック５０が設けられ、左右の突出柱４７の上に、ばね５１がモザイクされ、ばね５１とばね５１との間に、収納室４８に収納される無極性発光表示ユニット２６が、連結され、また、左右のばね５１により、金属ヒューズ５２に付勢され、金属ヒューズ５２は、左右の貫通穴５３により、左右の突出柱４７上に固定され、左右のばね５１と連通し、当該左右のばね５１の抵当部が底部カバー４５の一端に係止され、これにより、ばね機能が実現され、また、底部カバー４５上に上部カバー４６が嵌合され、フック５０が係止槽４９にフックすることにより、当該左右の突出柱４７が、上部カバー４６に対称するように貫設される二つの貫通穴５４に固定されることにより、２枚式の溶断指示付きのヒューズ５５が形成される。
【００１１】
本考案に係わる溶断指示付きの智慧型挿入式ヒューズの利点は、次の通りである。
【００１２】
１、本考案に係わる無極性発光表示ユニットは、ヒューズが異なる公称電圧（１２Ｖ〜７２Ｖ）に使用できるように、任意に分圧抵抗の抵抗値を変更でき、一般のタングステン電球が溶断指示に利用される時の設計で、収納空間が制限されるため、１６Ｖ以下の低電圧でなければならない。
【００１３】
２、本考案は、実装が容易で、自動化生産ができるため、産出高の向上とコストの節約を両立できる。
【００１４】
３、本考案の上蓋の上面は、平らで、突出物がないため、容易に車体に実装され、また、従来の一般式である挿入式ヒューズの代わりに利用することに有利である。
【００１５】
４、本考案は、全体の設計が簡単で、金型の費用を低減できる。
【００１６】
５、本考案は、無極性発光表示ユニットが点灯する時でも、生成した熱エネルギーが低いため、ヒューズのプラスチック絶縁本体が液化しなくて、安全の問題がない。
【００１７】
６、本考案は、低温で長耐用寿命である利点を有し、また、一目で溶断したヒューズが分かり、ユーザーが素早くそして便利に交換でき、メンテナンス時間を節約することができる。
【図面の簡単な説明】
【００１８】
【図１】本考案の分解図
【図２】本考案の組立て図
【図３】本考案の一体成型の本体分解（他の実施例の分解図）
【図４】本考案の一体成型の本体組立て図（図３の組立て図）
【図５】本考案の２枚式の溶断指示付きの智慧型挿入式ヒューズの分解図（更に他の実施例の分解図）
【図６】本考案の２枚式の溶断指示付きの智慧型挿入式ヒューズの組立て図（図５の組立て図）
【図７】本考案の無極性発光表示ユニット２６のＡ端が正極回路に接続される時の接続図
【図８】本考案の無極性発光表示ユニット２６のＡ端が負極回路に接続される時の接続図
【符号の説明】
【００１９】
１                       本体ベース
２                       長い槽状である収納室
３                       金属ヒューズ
４                       スペーサー
５、６             保護板
７、８             四角形突出
９、１０                 Ｙ文字形突出
１１                     溶断金属絲
１２、１３               ホゾ
１４、１５               斜め係止部
１６、１７               係止部
１８、１９               斜錐体
２０、２１               斜面
２２、２３               貫通穴
２４、２５               斜辺
２６                     無極性発光表示ユニット
２６Ａ                  透明弾性体
２７                     ＋−回路 
２８                     ヒューズ
２９                     負荷
３０、５８               ＬＥＤ発光ダイオード
３１                     上蓋
３２、３３               凹槽
３４、３５               槽孔
３６                     長方形凹槽
３７、３８               突出ホゾ
３９、４０、４１         切り面
４２                     溶断指示付きのヒューズ
４３                     本体
４４                     蓋本体
４５                     底部カバー
４６                     上部カバー
４７                     突出柱
４８                     収納室
４９                     係止槽
５０                     フック
５１                     ばね
５２                     金属ヒューズ
５３、５４               貫通穴
５５                     ２枚式溶断指示付きのヒューズ
５６、５７               分圧抵抗
【図１】
0003125233.tif 000003
【図２】
0003125233.tif 000004
【図３】
0003125233.tif 000005
【図４】
0003125233.tif 000006
【図５】
0003125233.tif 000007
【図６】
0003125233.tif 000008
【図７】
0003125233.tif 000009
【図８】
0003125233.tif 000010